(57)【要約】      （修正有）【課題】地面から離れた植栽床を介して植栽媒体の温度を調節し、植物の根部の植栽媒体中での酸素吸収を促進させる植栽床を提供する。【解決手段】地面から離れて調温式植栽床を設置し、植栽床の床面上方に間隔をあけて熱交換板を設置し、熱交換板の上に植栽エリアを、熱交換板と植栽床の間に熱交換エリアを形成し、植栽エリアへ植栽媒体を充填して植物を植栽し、熱交換流体を熱交換エリアに導流し、熱交換板を介して植栽媒体の温度を調節する。【選択図】図１
0003208265.tif 000002
【実用新案登録請求の範囲】
【請求項１】
周囲に設置された角フレームと、角フレームにより支えられて地面から離れて形成された床面と、を有する架台と、
断面が波形状を呈し、植栽床の床面上方に固設されて床面と間隔をあけて設置された熱交換板と、
熱交換板の頂層に形成され、植物を植栽するために用いる植栽媒体が充填された地面から離れた植栽エリアと、
熱交換板と植栽床の床面との間に形成され、熱交換板の底層に用いる熱交換エリアと、を含み、前記熱交換エリア内で熱交換流体が導流し、熱交換板により植栽媒体の温度を調節することを特徴とする植栽床。
【請求項２】
前記床面は保温層により覆われ、熱交換エリアと外部の空気とを分離して互いに接触しないようにすることを特徴とする請求項１に記載の植栽床。
【請求項３】
前記熱交換板の断面は波形状を呈し、互いに間隔をあけて設置された複数本の凹状植栽溝及び凸状溝部を含み、植栽媒体を凹状植栽溝内へ充填し、植物を植栽する植栽エリアを形成し、熱交換流体が凸状溝部内で導流して熱交換エリアが形成されることを特徴とする請求項１に記載の植栽床。
【請求項４】
前記熱交換流体は、植栽媒体より低温又は高温である流体であることを特徴とする請求項１又は３に記載の植栽床。
【請求項５】
前記熱交換流体は、水、気体のうちの一つであることを特徴とする請求項４に記載の植栽床。
【請求項６】
前記熱交換エリア内に設置した加冷器により熱交換流体を冷却することを特徴とする請求項４に記載の植栽床。
【請求項７】
前記熱交換エリア内に設置した加熱器により熱交換流体を加熱することを特徴とする請求項４に記載の植栽床。
【請求項８】
前記周囲の角フレームを周設して床面を頂部に有する地表植栽エリアを画成することを特徴とする請求項１に記載の植栽床。
【請求項９】
周囲に設置された角フレームと、角フレームにより支えられて地面から離れて形成された台面と、を有する架台と、
断面がＵ字槽状を呈する地面から離れた植栽エリアと、地面から離れた植栽エリアの底部に間隔をおいて形成された槽状の熱交換エリアと、を有し、槽状熱交換エリアの底部を介して台面に接触され、架台上に配置された多数の熱交換植栽器皿と、を含み、
前記地面から離れた植栽エリアには、植物を植栽するために用いる植栽媒体が充填され、熱交換エリア内で熱交換流体が導流されて植栽媒体の温度を調節することを特徴とする植栽床。
【請求項１０】
前記台面は多層式台面であることを特徴とする請求項９に記載の植栽床。
【請求項１１】
前記台面は、平面、三角形及び階段形のうちの一つに形成された熱供給交換エリアの底部と接触されることを特徴とする請求項９に記載の植栽床。
【請求項１２】
前記熱交換植栽器皿は、頂層熱交換槽板及び底層底板を含み、地面から離れた植栽エリアが頂層熱交換槽板内に形成され、熱交換エリアが熱交換槽板と底層床板との間に形成され、熱交換エリアが底層床板の底部を介して台面に接触されることを特徴とする請求項９に記載の植栽床。
【請求項１３】
前記頂層熱交換槽板及び底層床板は、一体延設及びモジュール結合のうちの一つにより形成されることを特徴とする請求項１２に記載の植栽床。
【請求項１４】
前記底層床板が保温層により覆われ、熱交換エリアと外部の空気とを分離して互いに接触しないようにすることを特徴とする請求項１２又は１３に記載の植栽床。
【請求項１５】
前記頂層熱交換槽板は、両端壁板と、両端壁板間の中心底板とにより囲んで形成し、両端壁板と中心底板との間に植栽媒体を充填し、両端壁板及び中心底板により熱交換流体を接触させることを特徴とする請求項１２に記載の植栽床。
【請求項１６】
前記中心底板の底部には、地面から離れた植栽エリアに連通した管路が形成されていることを特徴とする請求項１５に記載の植栽床。
【請求項１７】
前記中心底板の底部には、地面から離れた植栽エリアに連通した底槽が形成され、管路が底槽の底部に形成され、地面から離れた植栽エリアと連通することを特徴とする請求項１６に記載の植栽床。
【請求項１８】
前記地面から離れた植栽エリアに充填する植栽媒体は植栽土、植栽石のうちの一つであり、底槽内には、植栽媒体が管路内に落入るように、基底アセンブリが間隔をあけて設置されることを特徴とする請求項１６に記載の植栽床。
【請求項１９】
前記管路により植栽媒体の排水を行うか、負圧を導入して植栽媒体の水含有量を調節するか、導入する空気を増やして植栽媒体の酸素含有量を増やすか、蒸気を導入して植栽媒体の殺菌を行うことを特徴とする請求項１６、１７又は１８に記載の植栽床。
【請求項２０】
前記中心底板の底部には、地面から離れた植栽エリアに連通した底槽が形成され、地面から離れた植栽エリアに充填される植栽媒体は植栽土、植栽石のうちの一つであり、底槽内に基底アセンブリが設置されていることを特徴とする請求項１６に記載の植栽床。
【請求項２１】
前記両端壁板及び中心底板上には、複数の岐片が延設され、前記岐片を熱交換エリア内へ延ばして入れ、熱交換流体に接触させることを特徴とする請求項１５に記載の植栽床。
【請求項２２】
地面から離れた植栽エリアより高い熱交換植栽器皿の両側には、管槽がそれぞれ形成されることを特徴とする請求項９に記載の植栽床。
【請求項２３】
前記管槽内に液体供給管を嵌設し、植栽媒体に対して液体を供給することを特徴とする請求項２２に記載の植栽床。
【請求項２４】
前記管槽内に気体供給管を嵌設し、植栽媒体に対して空気を供給することを特徴とする請求項２２に記載の植栽床。
【請求項２５】
前記熱交換植栽器皿は、多数本の熱交換管により囲んで形成した前述のＵ字槽状の地面から離れた植栽エリアであり、熱交換エリアは、前記熱交換管内に形成され、熱交換流体は、前記熱交換管の管壁を介し、植栽媒体の温度を調節することを特徴とする請求項９に記載の植栽床。
【請求項２６】
前記熱交換流体は、植栽媒体より低温又は高温の流体であることを特徴とする請求項９、１２又は２５に記載の植栽床。
【請求項２７】
前記熱交換流体は、水、気体のうちの一つであることを特徴とする請求項２６に記載の植栽床。
【請求項２８】
前記熱交換エリア内に配置した加冷器により熱交換流体を冷却することを特徴とする請求項２６に記載の植栽床。
【請求項２９】
前記熱交換エリア内に配置した加熱器により熱交換流体を加熱することを特徴とする請求項２６に記載の植栽床。
【請求項３０】
前記周囲の角フレームを周設して床面を頂部に有する地表植栽エリアを画成することを特徴とする請求項９に記載の植栽床。
【考案の詳細な説明】
【技術分野】
【０００１】
本考案は、植物を育成する分野に関し、特に、植栽媒体温度を調節する方法及び植栽床に関する。
【背景技術】
【０００２】
有機農業の植物植栽品質を向上させるために、従来、野菜、果物などの植物の植栽方式は、農耕地から温室栽培に進化し、さらに言うと病害虫による被害を減らすために、温室内で地面から離して野菜、果物又は花卉など植栽することもよく見かけるようになった。
【０００３】
従来よく見かける地面から離した植栽方式は、支持部材により支持台を設置し、支持台上に多数の盆状の器が載置され、ポットで育成する花などの植栽媒体（例えば土又は石など）を、まず、皿に充填してから植栽媒体上に植物の根苗を植栽し、その後徐々に水を与えて太陽光に当てると光合作用により植物の生長が促進される。
【０００４】
植物の生長は、植栽媒体内に埋めた根部が酸素呼吸を行って養分を吸収し、植物の葉部において光合作業を行うため、水又は栄養液などが植物の根部に供給されて吸収される。特に、水又は栄養液などを植栽媒体上にかけると、植栽媒体の貯蔵及び転換により、植物の根部において養分を吸収するのに有利な環境を作り出すことができる。
【０００５】
一般に植物の根部生長に適した植栽媒体温度は、１２℃〜１８℃の間であり、勿論、上述の植栽媒体温度は、植栽する植物の種類に応じて僅かに異なるが、植栽地点の環境温度が南、北半球の地表位置の違い及び気候変化などの要素により非常に大きな温度差が存在するため、現段階の技術に依ると、一般に温室により保温又は放熱を行い、棚内の環境温度を調節して植物の生長を都合良く調節することができるが、植物の根部の生長に有利なように植栽媒体温度を効果的に制御することはできなかった。
【０００６】
言い換えれば、植物の葉部と根部とは耐候性が異なる。一般に、熱帯又は亜熱帯の地表上では、植物の葉部は約４０℃以内の高温に耐えることができるが、４０℃に近づくにつれて植物の根部が次第に枯れたり腐ったりすることがある。反対に、０℃以下の寒帯である地表上では、温室を利用して植物を植栽するが、温室を利用して発生させる保温作用には限界があり、植物の根部を生長させる植栽媒体温度を制御することも困難であり、植物の育成効果は理想的でなかった。
【先行技術文献】
【特許文献】
【０００７】
【特許文献１】なし
【考案の概要】
【考案が解決しようとする課題】
【０００８】
地表上では植栽する環境温度に多変性が存在することに鑑み、本考案の目的は、地面から離れた植栽と、熱交換の技術原理とを採用し、植栽媒体の温度を制御することが困難である問題を解決することにある。
【課題を解決するための手段】
【０００９】
上述の目的を達成して問題を解決するために、本考案が提供する植栽媒体温度を調節する方法の技術手段には、地面から離れた植栽床を設置し、地面から離れた植栽床に植栽媒体を充填し、植栽床を介して植栽媒体の温度を調節することが含まれる。
【００１０】
また、上述した植栽床は、熱交換板の伝導により植栽媒体の温度を調節し、熱交換流体の対流により植栽媒体の温度を調節し、又は／及び、発光部材の熱輻射により植栽媒体の温度を調節する。
【００１１】
上述の技術手段により貢献可能な効果は、植栽床と地表との分離を確保し、植物が病害虫の被害に遭うことを減らし、植栽媒体の温度を容易に遠隔制御し、植物の根部により養分を吸収することを促進することにある。
【００１２】
上述以外に、本考案は植栽媒体温度を調節する方法をさらに提供し、その技術手段には、地面から離れた調温式植栽床を設置し、植栽床の床面上方に間隔をあけて熱交換板を設置し、頂層の地面から離れた植栽エリアと、底層の熱交換エリアとを形成し、地面から離れた植栽エリアへ植栽媒体を充填して植物を植栽し、熱交換流体を熱交換エリアで導流し、前記熱交換流体は、熱交換板を介して植栽媒体の温度を調節することが含まれる。
【００１３】
上述の技術手段により貢献可能な効果は、植栽床と地表との分離を確保し、植物が病害虫の被害に遭うことを減らし、植栽媒体の温度を容易に遠隔制御するとともに、熱交換板の熱伝導特性を利用し、熱交換流体の導流温度を調節し、植栽媒体温度を相対的に調節し、植物の根部により酸素吸収を促進することにある。
【００１４】
実施上、本考案の上述の方法には、
前記植栽床は、保温層により覆われ、熱交換エリアと外部の空気とを分離して互いに接触しないようにすることをさらに含む。そのため、熱交換エリア内の熱交換流体の導流温度を有利に保持することができる。
【００１５】
前記熱交換板の断面は波形状であり、互いに間隔をあけて分布された複数本の凹状植栽溝及び凸状溝部を含み、前記凹状植栽溝は、地面から離れた植栽エリアに植栽媒体を充填して植物を植栽し、前記凸状溝部は、熱交換エリアを提供して熱交換流体を導流し、植栽媒体の温度を調節する。前記熱交換流体は、植栽媒体より低温又は高温の流体である。そのため、熱交換板の両端面に植栽媒体及び導流熱交換流体をそれぞれ充填し、植栽媒体と熱交換流体との間で加冷又は加熱する温度伝導を容易に行うことができる。
【００１６】
前記熱交換流体は、水、気体のうちの一つである。加冷器により熱交換流体を冷却し、熱交換流体を植栽媒体より低温にする。或いは、加冷器により熱交換流体を加熱し、熱交換流体を植栽媒体より高温にする。
【００１７】
本考案がさらに提供することができる植栽床は、上述の方法を実施して上述の効果を実現することができ、植栽床の技術手段には、周囲に設置された角フレームと、角フレームにより支えられて地面から離れて形成された床面と、を有する架台と、断面が波形状を呈し、植栽床の床面上方に固設されて床面と間隔をあけて設置された熱交換板と、熱交換板の頂層に形成され、植物を植栽するために用いる植栽媒体が充填された地面から離れた植栽エリアと、熱交換板と植栽床の床面との間に形成され、熱交換板の底層に用いる熱交換エリアと、を含み、前記熱交換エリア内で熱交換流体が導流し、熱交換板により植栽媒体の温度を調節することが含まれる。
【００１８】
上述の床面は、実施上、台面に交換可能である、かつ、上述の熱交換板は、実施上、熱交換植栽器皿に交換し、熱交換植栽器皿は、断面がＵ字槽状を呈する地面から離れた植栽エリアと、地面から離れた植栽エリアの底部に間隔をおいて形成された槽状の熱交換エリアと、を有し、多数の熱交換植栽器皿は、槽状熱交換エリアの底部を介して台面に接触されて架台上に配置され、前記地面から離れた植栽エリアには、植物を植栽するために用いる植栽媒体が充填され、熱交換エリア内で熱交換流体が導流されて植栽媒体の温度を調節したのと同じ効果を達成する。
【００１９】
さらに、実施する際、この植栽床は、
前記台面が多層式台面であるであることをさらに含む。或いは、上述の台面が、平面、三角形及び階段形のうちの一つに形成された熱供給交換エリアの底部と接触される。これにより、台面が多層式、三角形又は階段形の台面であるとき、地面から離れて植栽することができる面積を広げることができる。
【００２０】
熱交換植栽器皿の実施方式にはさらに以下２種類が含まれる。
【００２１】
＜その１＞熱交換植栽器皿は、頂層熱交換槽板及び底層底板を含み、地面から離れた植栽エリアが頂層熱交換槽板内に形成され、熱交換エリアが熱交換槽板と底層床板との間に形成され、熱交換エリアが底層床板の底部を介して台面に接触される。
【００２２】
前記頂層熱交換槽板及び底層床板は、一体延設及びモジュール結合のうちの一つにより形成される。前記底層床板が保温層により覆われ、熱交換エリアと外部の空気とを分離して互いに接触しないようにする。前記頂層熱交換槽板は、両端壁板と、両端壁板間の中心底板とにより囲んで形成し、両端壁板と中心底板との間に植栽媒体を充填し、両端壁板及び中心底板により熱交換流体を接触させる。前記中心底板の底部には、地面から離れた植栽エリアに連通した管路が形成されている。さらに、前記中心底板の底部には、地面から離れた植栽エリアに連通した底槽が形成され、管路が底槽の底部に形成され、地面から離れた植栽エリアと連通する。前記地面から離れた植栽エリアに充填する植栽媒体は植栽土、植栽石のうちの一つであり、底槽内には、植栽媒体が管路内に落入るように、基底アセンブリが間隔をあけて設置される。基底部材は、スポンジ又は不織布でもよく、管路により植栽媒体の排水を行うか、負圧を導入して植栽媒体の水含有量を調節するか、導入する空気を増やして植栽媒体の酸素含有量を増やすか、蒸気を導入して植栽媒体の殺菌を行う。或いは、管路の形成を省略し、中心底板の底部に、地面から離れた植栽エリアに連通した底槽が形成され、底槽内に前記基底アセンブリが設置されている。
【００２３】
＜その２＞熱交換植栽器皿は、多数本の熱交換管により囲んで形成した前述のＵ字槽状の地面から離れた植栽エリアであり、熱交換エリアは、前記熱交換管内に形成され、熱交換流体は、前記熱交換管の管壁を介し、植栽媒体の温度を調節する。
【図面の簡単な説明】
【００２４】
【図１】図１は、本考案のステップ図である。
【図２】図２は、本考案の植栽床の第１実施例の断面図である。
【図３】図３は、本考案の植栽床の第２実施例の断面図である。
【図４】図４は、本考案の植栽床の第３実施例の断面図である。
【図５】図５は、本考案の植栽床の第４実施例の断面図である。
【図６】図６は、本考案の植栽床の第５実施例の断面図である。
【図７】図７は、図３〜図６の熱交換植栽の器の第１実施例の拡大断面図である。
【図８】図８は、図７が示す中心底板の付加第１実施例の断面図である。
【図９】図９は、図７が示す中心底板の付加第２実施例の断面図である。
【図１０】図１０は、図７が示す頂層熱交換槽板の付加実施例の断面図である。
【図１１】図１１は、図１０が示す管槽の付加実施例の断面図である。
【図１２】図１２は、図３〜図６中の熱交換植栽皿の第２実施例の拡大断面図である。
【考案を実施するための形態】
【００２５】
以上述べた技術手段及びそれにより生み出される技術効果の具体的な実施の詳細については、以下の実施例及び図面と併せて説明する。
＜実施方式＞
【００２６】
本考案の植栽媒体温度を調節する方法を具体的に実施することができるように、まず、図１及び図２を参照する。図１は、本考案のステップ図である。図２は、本考案の植栽床の第１実施例の断面図である。図２に示す植栽床を設置し、植栽媒体の温度を調節する本考案の好適な実施例について、図１に示すステップ主実施例のステップＳ１〜Ｓ３に示すように以下説明する。
【００２７】
＜ステップＳ１＞植栽床を設置する。
【００２８】
本考案は植物が病害虫に遭遇することを減らして、植栽媒体が地表へ直接接触されて温度制御が困難である問題を避けるために、特に、地面から離して植栽床１を設置して植物２を植栽する。植栽床１の構造は、架台１１及び熱交換板１５を含む。架台１１は、周囲に分布された角フレーム１３と、角フレーム１３により支えられて地面から離れた床面１４と、を有する。熱交換板１５の断面は波形状を呈し、熱交換板１５を植栽床１の床面１４の上方へ固定して床面１４と間隔をあけて対応させる。
【００２９】
＜ステップＳ２＞植栽エリア及び熱交換エリアを設置する。
【００３０】
実質上、植栽エリア２０を設置する目的は、充填した植栽媒体２３を地面から離して植栽床１に接触させ、植栽床１を介して植栽媒体２３の温度を調節する。熱交換エリア３０の設置は、植栽床１上に実質存在するか、植栽床１において植栽媒体２３が接触される表層を提供し、植栽床１を介して植栽媒体２３の温度を調節する。
【００３１】
図２で示す植栽床１の基礎アーキテクチャ下において、熱交換板１５は、床面１４の上方に地面から離れた栽エリア２０及び熱交換エリア３０が形成される。さらに言えば、熱交換板１５が植栽床１の床面１４の上方に設置され、熱交換板１５と床面との間に、床面１４の周囲に形成されて熱交換板１５により構築された端壁が含まれ、頂層の地面から離れた植栽エリア２０と、底層の熱交換エリア３０とを間隔をおいて形成する。言い換えれば、地面から離れた植栽エリア２０を熱交換板１５の頂層へ形成し、熱交換板１５と植栽床１の床面１４との間に熱交換エリア３０を形成し、熱交換エリア３０を熱交換板１５の底層として用いる。
【００３２】
また、床面１４が保温層１４０により覆われ、熱交換エリア３０と、外部の空気とを分離して互いに接触することを防ぐ。これ以外に、熱交換板１５には熱伝導効率が良好な金属板を波形に製作し、前述の波形には、熱交換板１５の板体を複数本で間隔をあけて分布された植栽溝１５０及び溝部１５１を含んでもよい。植栽溝１５０は、上向きの開口を有し、上向きの開口の各植栽溝１５０は、植栽媒体２３を充填することができ、地面から離れた植栽エリア２０に形成し、植栽媒体２３上に植物２を植栽する。凸状溝部１５１は、下向きの開口を有し、下向き開口の各溝部１５１と床面１４との間には、熱交換流体３１が内流動する熱交換エリア３０が形成される。
【００３３】
＜ステップＳ３＞植栽媒体温度を調節する。
【００３４】
上述の熱交換流体３１は、水又は気体でもよい。植栽媒体２３は、根部２２に養分を供給する植栽用土又は石でもよい。地表上の環境温度の多変性により、異なる質密度又は伝達係数の熱交換流体３１と植栽媒体２３との間には温度差が存在する。例えば、植栽床１を設置する地点が熱帯地表にある場合、植栽床１が温室内に設置されているか否かに関わらず、熱帯地表の環境温度により熱交換流体３１と植栽媒体２３との間に温度差が存在する。反対に、植栽床１の設置地点が寒帯地表に存在する場合、寒帯地表の環境温度によっても熱交換流体３１と植栽媒体２３との間に温度差が存在するため、熱交換流体３１に対応した植栽媒体２３が低温又は高温の流体となる。しかし、熱交換流体３１と植栽媒体２３との間に温度差が存在するか否かに関わらず、本考案は、熱交換エリア３０内に配置した加冷器３２により熱交換流体３１を冷却して所定の動作温度にする。この加冷器３２は、加熱器に代えて熱交換流体３１を加熱し、動作温度を達成してもよい。
【００３５】
他の実施において、熱交換エリア３０の端壁上に設置した２つ以上の導流孔３３を用いて熱交換流体３１を導流し、流動を保持してもよい。上述の導流孔３３も、熱交換流体３１を導流させ、熱交換エリア３０外部に位置する加冷器により、熱交換流体３１の動作温度を下げてもよい。この加冷器は加熱器に代え、熱交換流体３１の動作温度を高めるために用いてもよい。
【００３６】
また、本考案は、上述の熱交換板１５が備える熱伝導特性により、熱交換流体３１及び植栽媒体２３が熱交換板１５に同時に接触され、熱交換板１５により熱交換流体３１と植栽媒体２３との間の温度差を調節し、植栽媒体２３の温度を調節する。
【００３７】
植栽媒体２３上に植栽した植物２は、外部に露出された葉部２１と、植栽媒体２３内に埋められた根部２２とを有し、一般に植物２の根部２２が養分を吸収する温度は１２℃〜２８℃の間が最適である。そのため、植栽地点の環境温度又は温室の棚内の温度が２８℃より大幅に高いか１２℃より大幅に低いとき、植栽媒体２３の温度が１２℃〜２８℃の範囲から外れ、このときに本考案の上述の方法を利用すると、熱交換流体３１の動作温度を下げるか上げることにより、熱交換板１５により熱交換流体３１と植栽媒体２３との間の温度差を調節し、植栽媒体２３の温度を１２℃〜２８℃の範囲内に調節し、植物２の根部２２により酸素吸収を促進させることができる。
【００３８】
続いて図３は、本考案の植栽床の第２実施例の断面図であり、図２と異なるもう一つの植栽床１００の実施構造を説明するが、その相違点は、保温層１４０を覆う上述の床面１４を、保温層を覆わない台面１６０に代え、上述の熱交換板１５を熱交換植栽皿４００へ代える点にある。
【００３９】
植栽床１００は、架台１１０上に配置された多数の熱交換植栽皿４００を含んで構成される。架台１１０は、周囲に分布された角フレーム１３０と、角フレーム１３０により支えられ、地面から離れて形成された台面１６０とを有する。図３に示すように、台面１６０は、架台１１０上に固定された複数本の架台杆１１１が水平に配列され、台面１６０が平面状に設置され、各熱交換植栽皿４００が台面１６０に接触されて水平に配置される。
【００４０】
図４は、本考案の植栽床の第３実施例の断面図である。図３に示す台面は、実質上、架台１１０上の架台杆の付加配置を介し、多層式の台面１６０，１６３に形成されている。
【００４１】
図５及び図６に示すように、図５及び図６は、本考案の植栽床の第４実施例及び第５実施例の断面図であり、図３及び図４中の台面１６０，１６３は、単層又は多層式の平面状により熱交換植栽皿４００を載置する以外に、図５に示すように、台面１６１は、複数本の架台杆１１２を利用して三角状に配置し、高低の間隔で配列した筐槽１１５により熱交換植栽皿４００を収容する。図６に示すように、台面１６２は、複数本の架台杆１１３を階段状に配置し、階段状の高低間で間隔をあけて配列した多数の筐槽１１６に熱交換植栽皿４００が収容される。図５中で形成される三角形状の台面１６１と、図６中で形成される階段形状の台面１６２とは、図３中の平面状の台面１６０と比べ、地面から離れて植栽する面積を広げ、太陽光受光角度を良好に保持することができる。また、上述の三角形状の台面１６１及び階段形状の台面１６２は、等価の弧形状、円形状又は波形状など台面の変化を含み、本考案は応用範囲に属する。
【００４２】
図７は、図３〜図６の熱交換植栽皿４００の第１実施例の拡大断面図であり、熱交換植栽皿４００の断面がＵ字槽状の地面から離れた植栽エリア２００が形成され、地面から離れた植栽エリア２００の底部から間隔をおいて槽孔型の熱交換エリア３００が形成される。多数の熱交換植栽皿４００は、槽状熱交換エリア３００の底部により台面１６０，１６１，１６２，１６３に接触されて架台上に配置され、地面から離れた植栽エリア２００内に植栽媒体２３０を充填して植物２を植栽し、熱交換エリア３００内で熱交換流体３１０を導流して植栽媒体２３０の温度を調節する。
【００４３】
さらに言えば、図７に示す実施例において、熱交換植栽皿４００は、頂層熱交換槽板４１０及び底層床板４２０を含み、地面から離れた植栽エリア２００は、各頂層熱交換槽板４１０内に形成され、熱交換エリア３００は、各熱交換槽板４１０と底層床板４２０との間に形成し、植栽媒体２３０の温度を調節する同じ効果を達成する。また、熱交換エリア３００は、底層床板４２０の底部を介して台面１６０，１６１，１６２，１６３に接触される。
【００４４】
さらに言えば、上述の頂層熱交換槽板４１０及び底層床板４２０が金属材料により一体延設されるか、上述の頂層熱交換槽板４１０と底層床板４２０も型部材を採用して互いに係合するなどのモジュール方式により結合し、熱交換植栽皿４００を形成してもよい。さらに言えば、頂層熱交換槽板４１０及び底層床板４２０が一体延設されているか否かに関わらず、少なくとも頂層熱交換槽板４１０が熱伝導効率が良好な金属材料で製作され、底層床板４２０も金属材料により製作される場合、保温層４２１を覆って熱交換エリア３００と外部の空気とを分離して互いに接触されることを防いでもよい。保温層４２１は、保温コットン、ポリスチレン又はその他等価の材料により製造されてもよい。
【００４５】
また、上述の頂層熱交換槽板４１０は、両端壁板４１１と、両端壁板４１１間の中心底板４１２とにより周設され、植栽媒体２３０は、両端壁板４１１と中心底板４１２との間のＵ字槽室内に充填され、両端壁板４１１及び中心底板４１２の相対端壁により熱交換流体３１０と接触させる。
【００４６】
図８は、図７の中心底板の付加第１実施例の断面図であり、中心底板４１２中にある最低凹み位置に、地面から離れた植栽エリア２００に連通する管路４１４が形成される。管路４１４の断面は、円形状を呈し、管路４１４の頂端には、地面から離れた植栽エリア２００に連通した多数の貫通孔４１５が形成される。これにより、管路４１４は、植栽媒体２３０から排水を行うために用いたり、或いは、負圧（真空圧）を管路４１４内へ案内し、強制的に植栽媒体の水含有量を圧調節してもよい。また、管路４１４は、地面から離れた植栽エリア２００へ空気を案内し、植栽媒体２３０の酸素含有量を増加させ、植物２の根部２２からの養分吸収を促進させてもよい。また、植栽媒体２３０上に植栽した植物を収穫した後、管路４１４は、蒸気を案内し、地面から離れた植栽エリア２００へ導入し、植栽媒体２３０（例えば、植栽土）を殺菌する。
【００４７】
図９は、図７が示す中心底板の付加第２実施例の断面図であり、中心底板４１２の底部を説明し、特に、最低凹み位置には、地面から離れた植栽エリア２００に連通した底槽４１６が形成されている。図８に示す管路４１４は、底槽４１６の底部に形成され、多数の貫通孔４１５を介して、まず、底槽４１６に連通した後、地面から離れた植栽エリア２００と連通する。このように、地面から離れた植栽エリア２００に充填する植栽媒体２３０は、植栽土又は植栽石である場合、スポンジ又は不織布などの基底部材４１７を底槽４１６内へ載置し、間隔をおいて植栽媒体２３０が管路４１４内へ落入ることを防ぎ、例えば、スポンジなどで製造した基底部材４１７は、管路４１４内へ負圧、水又は正圧空気を植栽媒体２３０中へ浸透させることができる十分な空隙を有する。これ以外に、中心底板４１２の底部には、管路４１４の設置を省略することができ、図２の底槽４１６を直接形成して基底部材４１７を設置し、植栽媒体２３０の水含有量を保存してもよい。
【００４８】
続いて、図１０は、図７の頂層熱交換槽板の付加実施例の断面図であり、頂層熱交換槽板４１８の壁面には、複数の岐片４１３が一体延設され、さらに言えば、前述の岐片４１３が両端壁板４１１及び中心底板４１２上に延設され、上述の岐片４１３が延びて熱交換エリア３００内に伸入されて熱交換流体３１０に接触され、植栽媒体温度の調節能力を高めることができる。
【００４９】
また、図７〜図１０の実施例において、熱交換植栽皿４００の両側には、管槽４１９が延設され、上述の管槽４１９は、地面から離れた植栽エリア２００より高い。管槽４１９内には、液体供給管５００（又はガス供給管とも称する；図１０参照）が嵌入され、植栽媒体２３０には、水又は栄養液などの液体又は空気を供給する。或いは、液体供給管５００を図１１に示す噴射管５１０に代え、植栽媒体２３０の表層上方に、水又は栄養液などの液体を噴射し、植栽媒体２３０内に滲みせて植物の根部２２から吸収されるようにしてもよい。
【００５０】
続いて、図１２は、図３〜図６中の熱交換植栽皿の第２実施例の拡大断面図であり、上述の熱交換植栽皿４５０は、多数本の熱交換管４５１がＵ字槽状で地面から離れた植栽エリア２００に周設され、熱交換エリア３００が上述の熱交換管４５１内に形成される。これにより、熱交換エリア３００内で導流する熱交換流体は、上述した熱交換管４５１の管壁により植栽媒体２３０の温度を調節することができる。上述した熱交換管４５１は、熱伝導性に優れた金属材料により製作され、上述の周設は、溶接又はその他等価の固定手段により達成してもよい。
【００５１】
上述したことから分かるように、本考案の上述した熱交換板１５、熱交換槽板４１０及び熱交換管４５１はそれぞれが有する熱伝導能力により、植栽媒体２３，２３０と熱交換流体３１，３１０とが接触されて熱交換を行うが、熱交換流体３１，３１０が無いか熱対流が明りょうでない状況下で、上述の熱交換板１５及び熱交換槽板４１０を大気中に露出させて植栽媒体２３，２３０と環境温度とを接触させて熱交換を行うことができるため、伝導又は対流方式であっても本考案において植栽媒体２３，２３０の温度調節に応用することができる。また、本考案は、植栽媒体２３，２３０を充填する植栽床１の周囲に、例えば、電球などの発光部材を設置し、発光部材が発生する熱輻射により植栽媒体２３，２３０の温度を調節するものも本考案の応用範囲に含まれる。
【００５２】
ここで説明しておかなければならないことは、図２〜図６に示すように、植栽床１，１００は地面から離した方式で設置され、周囲の角フレーム１３，１３０により床面１４を頂部に形成する地表植栽エリア６０，６００，６１０，６２０を画成することにより、地表植栽エリア６０，６００，６１０，６２０内で植物を植栽し、植栽空間を十分に利用することができる。
【００５３】
以上の実施例は、本考案の好適な実施方式を単に表すためだけのものであり、本考案の登録請求の範囲を何ら限定するものではない。ここで指摘しておくこととして、本考案の属する技術分野における通常の知識を有する者であれば、本考案の趣旨を逸脱しない前提下で、複数の変更及び修正を行うことができ、それらも全て本考案の保護範囲に属する。そのため、本考案は、登録請求の範囲において限定した請求項の内容を基準とするものである。
【符号の説明】
【００５４】
１：植栽床
１００：植栽床
１１：架台
１１０：架台
１１１：架台杆
１１２：架台杆
１１３：架台杆
１１５：筐槽
１１６：筐槽
１３：角フレーム
１３０：角フレーム
１４：床面
１４０：保温層
４２１：保温層
１５：熱交換板
１５０：植栽溝
１５１：溝部
１６０：台面
１６１：台面
１６２：台面
１６３：台面
２：植物
２０：植栽エリア
２００：植栽エリア
２１：葉部
２２：根部
２３：植栽媒体
２３０：植栽媒体
３０：熱交換エリア
３１：熱交換流体
３１０：熱交換流体
３２：加冷器
３３：導流孔
４００：熱交換植栽皿
４５０：熱交換植栽皿
４１０：熱交換槽板
４１８：熱交換槽板
４１１：壁板
４１２：中心底板
４１３：岐片
４１４：管路
４１５：貫通孔
４１６：底槽
４１７：スポンジ（又は不織布）
４１９：管槽
４２０：保温床板
５００：液体供給管
５１０：噴射管
６０：地表植栽エリア
６００：地表植栽エリア
６１０：地表植栽エリア
６２０：地表植栽エリア
Ｓ１〜Ｓ３：主な実施例のステップ説明
【図１】
0003208265.tif 000003
【図２】
0003208265.tif 000004
【図３】
0003208265.tif 000005
【図４】
0003208265.tif 000006
【図５】
0003208265.tif 000007
【図６】
0003208265.tif 000008
【図７】
0003208265.tif 000009
【図８】
0003208265.tif 000010
【図９】
0003208265.tif 000011
【図１０】
0003208265.tif 000012
【図１１】
0003208265.tif 000013
【図１２】
0003208265.tif 000014
【手続補正書】
【提出日】平成25年10月16日(2013.10.16)
【手続補正１】
【補正対象書類名】図面
【補正対象項目名】図１
【補正方法】変更
【補正の内容】
【図１】
0003208265.tif 000015